(57)【要約】  発熱量や消費電力の増加を招くことなく、机上面における被照明領域を全体にわたって有効な高照度で、かつ十分な光量で照明できる机上照明装置を提供し、被照明領域の位置に拘わらない良好な視認性を得る。  机上面１１に設置されるベースと、ベースに立設された支柱１３と、支柱に接続され先端に頭部１７を可動に支持する可動支持部１５と、を有し、机上面１１を照明する机上照明装置１００であって、複数の発光ダイオードをライン状に配置したアレイ状光源と、複数の発光ダイオードのそれぞれに対応して光出射側に設けられ机上面１１に向けて拡開した曲面形状を有する第１反射部と、第１反射部のさらに光出射側で発光ダイオードの列方向に沿って設けられかつ発光ダイオードからの光を光出射側に反射する平板状の反射面が片側のみに配置された第２反射部とを備えた。
2008153104.tif 000002
【特許請求の範囲】
【請求項１】
机上面に設置されるベースと、該ベースに立設された支柱と、該支柱に接続され先端に頭部を可動に支持する可動支持部と、を有し、前記机上面を照明する机上照明装置であって、
複数の発光ダイオードを少なくとも１列のライン状に配置したアレイ状光源と、
前記複数の発光ダイオードのそれぞれに対応して該アレイ状光源の光出射側に設けられ前記机上面に向けて拡開した曲面形状を有する第１反射部と、
該第１反射部のさらに光出射側で前記発光ダイオードの列方向に沿って設けられかつ前記発光ダイオードからの光を光出射側に向けて反射する平板状の反射面が前記列方向に直交する方向の片側のみに配置された第２反射部と、
を備えた机上照明装置。
【請求項２】
机上面の後部に設けられた机上用書棚の棚板下面に設けられ、前記机上面を照明する机上照明装置であって、
複数の発光ダイオードを少なくとも１列のライン状に配置したアレイ状光源と、
前記複数の発光ダイオードのそれぞれに対応して該アレイ状光源の光出射側に設けられ前記机上面に向けて拡開した曲面形状を有する第１反射部と、
該第１反射部のさらに光出射側で前記発光ダイオードの列方向に沿って設けられかつ前記発光ダイオードからの光を光出射側に向けて反射する平板状の反射面が前記列方向に直交する方向の片側のみに配置された第２反射部と、
を備えた机上照明装置。
【請求項３】
机上面直上の天井面に吊設され、前記机上面を照明する吊り下げ型の机上照明装置であって、
複数の発光ダイオードを少なくとも１列のライン状に配置したアレイ状光源と、
前記複数の発光ダイオードのそれぞれに対応して該アレイ状光源の光出射側に設けられ前記机上面に向けて拡開した曲面形状を有する第１反射部と、
該第１反射部のさらに光出射側で前記発光ダイオードの列方向に沿って設けられかつ前記発光ダイオードからの光を光出射側に向けて反射する平板状の反射面が前記列方向に直交する方向の片側のみに配置された第２反射部と、
を備えた吊り下げ型の机上照明装置。
【請求項４】
請求項１〜請求項３のいずれか１項記載の机上照明装置であって、
前記第１反射部が、放物面からなる反射面を含む机上照明装置。
【請求項５】
請求項１〜請求項３のいずれか１項記載の机上照明装置であって、
前記第１反射部が、回転楕円体面からなる反射面を含む机上照明装置。
【請求項６】
請求項１〜請求項３のいずれか１項記載の机上照明装置であって、
前記第１反射部が、放物面からなる反射面と、回転楕円体面からなる反射面とが混在配置された机上照明装置。
【請求項７】
請求項１〜請求項６のいずれか１項記載の机上照明装置であって、
前記アレイ状光源の各発光ダイオードが、複数列にわたって配列されかつ前記発光ダイオードの配置間隔を前記列毎に半周期分ずらすことで千鳥配置された机上照明装置。
【請求項８】
請求項１〜請求項７のいずれか１項記載の机上照明装置であって、
前記第１反射部、前記第２反射部の少なくともいずれかの反射面に梨地加工が施されている机上照明装置。
【請求項９】
請求項１〜請求項８のいずれか１項記載の机上照明装置であって、
前記第１反射部と前記第２反射部とが一体に形成された机上照明装置。
【請求項１０】
請求項１〜請求項８のいずれか１項記載の机上照明装置であって、
前記第２反射部は、前記平板状の反射面と該反射面に接続される断面Ｕ字状の基部とからなる板状弾性体であり、
前記第１反射部と前記アレイ状光源は前記板状弾性体の基部に挿入され、前記板状弾性体の弾性復元力により前記基部内に保持される机上照明装置。
【請求項１１】
請求項１０記載の机上照明装置であって、
前記第２反射部の平板状の反射面は、白色塗装面で形成された机上照明装置。
【請求項１２】
請求項１０または請求項１１記載の机上照明装置であって、
前記アレイ状光源は、複数の発光ダイオードが表面側に実装された基板を有し、該基板の裏面が前記板状弾性体に放熱用低熱抵抗層を介して面接合された机上照明装置。
【請求項１３】
請求項１２記載の机上照明装置であって、
前記放熱用低熱抵抗層が、加熱硬化型シリコーン層である机上照明装置。
【発明の詳細な説明】
【技術分野】
【０００１】
本発明は、複数の発光ダイオードを使用した机上照明装置に関し、特に、発熱量や消費電力の増加を招くことなく、机上面における被照明領域の全体を十分な光量で均一に照明可能とする改良技術に関する。
【背景技術】
【０００２】
従来の照明器具としては、蛍光灯や白熱電球、スポットライト等、種々のタイプの照明光源が利用されているが、照明光の中に被照射物の劣化を誘発する紫外線成分を含んでいたり、照明光源の発熱により、その設置に関しては制約が多かった。最近になり、発熱や消費電力の少ないＬＥＤ光源が注目され、また、高輝度な白色ＬＥＤも提供されるようになってから、一般照明用の照明器具にＬＥＤ光源を利用するものが増えつつある。この種の照明装置の一例が例えば特許文献１に開示されている。【０００３】
ところで、照明器具の一つに、デスクライト等の机上照明装置がある。机上照明装置は、机上に作業スペースを確保する必要性、および机上面の上方に干渉回避の空間を確保することが望ましいため、照明装置本体（ベース）が一般的に机上面の端部に置かれる。したがって、ベースに、支柱を介して設けられた頭部からは、机上面奥部の上方から手前部にわたって傾斜した照明光が照射されることとなる。このような机上照明装置においても高輝度なＬＥＤ光源が採用されることで、従来の蛍光灯や白熱電球を用いた机上照明装置に比べ、発熱や消費電力の低減が期待できた。【０００４】
【特許文献１】日本公開特許：特開２０００−０２１２０９号公報
【発明の開示】
【発明が解決しようとする課題】
【０００５】
しかしながら、上記特許文献１のように、ＬＥＤを光源とした照明装置においては、ＬＥＤを単体或いは複数個をアレイ状として照明装置を構成した場合、ＬＥＤ自体の照度角が広いと照明光の照射領域が広がる反面、光源から離れるに従って照度が著しく低下し、照明装置としての性能を満足し得ない。その場合には、ＬＥＤ自体の発光を高輝度化すればよいが、装置の大型化、消費電力の増大および発熱による不利が避けられない問題となる。そこで、ＬＥＤの側方（或いは背面側等）に凹面状の放物面を有する反射板を設けることにより、ＬＥＤからの光を、この反射板によって平行光化して光束密度を上げることができるが、反射板に照射しなかった光成分は拡散しながら光路前方に進む。このため、光源全体として照度分布は反射板により照度アップが図られるが、依然としてブロードな分布を呈したままとなり、照明に必要となる高照度で平坦照度分布の照明領域が十分に得られない。特に、ＬＥＤ照明装置にあっては、発光素子自体が点発光であるので、広い範囲を均等な照度で照明することは難しい。また、ＬＥＤ照明装置にあっては、照射領域が反射鏡によって制限されているので、机上面の奥部で十分な照度で照明が行えても、手前側まで十分な照度で照明を施すことが難しく、机上面の前後にわたって均等な照度で照明することが難しい。このため、被照明領域の任意位置において良好な視認性を得ることは困難であった。【０００６】
本発明は上記状況に鑑みてなされたもので、発熱量や消費電力の増加を招くことなく、机上面における被照明領域を全体にわたって有効な高照度で、かつ十分な光量で照明できる机上照明装置を提供し、もって、机上用照明として、被照明領域の位置に拘わらない良好な視認性を得ることを目的とする。
【課題を解決するための手段】
【０００７】
本発明に係る上記目的は、下記構成により達成される。
（１）  机上面に設置されるベースと、該ベースに立設された支柱と、該支柱に接続され先端に頭部を可動に支持する可動支持部と、を有し、前記机上面を照明する机上照明装置であって、
複数の発光ダイオードを少なくとも１列のライン状に配置したアレイ状光源と、
前記複数の発光ダイオードのそれぞれに対応して該アレイ状光源の光出射側に設けられ前記机上面に向けて拡開した曲面形状を有する第１反射部と、
該第１反射部のさらに光出射側で前記発光ダイオードの列方向に沿って設けられかつ前記発光ダイオードからの光を光出射側に向けて反射する平板状の反射面が前記列方向に直交する方向の片側のみに配置された第２反射部と、
を備えた机上照明装置。【０００８】
この机上照明装置によれば、第１反射部が発光ダイオードからの光を光出射側に向けて略平行化して反射させ、かつ第２反射部が第１反射部に入射しなかった発光ダイオードからの光等を光出射側の斜方（机上の手前側）に向けて反射させることができる。また、複数の発光ダイオードがライン状に配置されることで、机上全面を奥側から手前側に向かって急激に照度低下しない照度分布で照明できる。さらに、ベースに立設した支柱に、可動支持部を介して頭部を支持させて移動可能に構成されるので、机上面の任意の位置にベースを設置して、机上面の所望位置に簡便に被照明領域が形成可能となる。【０００９】
（２）  机上面の後部に設けられた机上用書棚の棚板下面に設けられ、前記机上面を照明する机上照明装置であって、
複数の発光ダイオードを少なくとも１列のライン状に配置したアレイ状光源と、
前記複数の発光ダイオードのそれぞれに対応して該アレイ状光源の光出射側に設けられ前記机上面に向けて拡開した曲面形状を有する第１反射部と、
該第１反射部のさらに光出射側で前記発光ダイオードの列方向に沿って設けられかつ前記発光ダイオードからの光を光出射側に向けて反射する平板状の反射面が前記列方向に直交する方向の片側のみに配置された第２反射部と、
を備えた机上照明装置。【００１０】
この机上照明装置によれば、第１反射部が発光ダイオードからの光を光出射側に向けて略平行化して反射させ、かつ第２反射部が第１反射部に入射しなかった発光ダイオードからの光等を光出射側の斜方（机上の手前側）に向けて反射させることができる。また、複数の発光ダイオードがライン状に配置されることで、机上全面を奥側から手前側に向かって急激に照度低下しない照度分布で照明できる。さらに、机上面奥側に設けられた机上用書棚の棚板下面に机上照明装置が設けられることで、第２反射部からの反射光が机上面の手前部に向けて照射され、机上面上方に照明装置の配置されない広い空間が確保されながら、机上面の奥部から手前部までが十分な照度で照明可能となる。【００１１】
（３）  机上面直上の天井面に吊設され、前記机上面を照明する吊り下げ型の机上照明装置であって、
複数の発光ダイオードを少なくとも１列のライン状に配置したアレイ状光源と、
前記複数の発光ダイオードのそれぞれに対応して該アレイ状光源の光出射側に設けられ前記机上面に向けて拡開した曲面形状を有する第１反射部と、
該第１反射部のさらに光出射側で前記発光ダイオードの列方向に沿って設けられかつ前記発光ダイオードからの光を光出射側に向けて反射する平板状の反射面が前記列方向に直交する方向の片側のみに配置された第２反射部と、
を備えた吊り下げ型の机上照明装置。【００１２】
この吊り下げ型の机上照明装置によれば、第１反射部が発光ダイオードからの光を光出射側に向けて略平行化して反射させ、かつ第２反射部が第１反射部に入射しなかった発光ダイオードからの光等を光出射側の斜方（机上の手前側）に向けて反射させることができる。また、複数の発光ダイオードがライン状に配置されることで、机上全面を奥側から手前側に向かって急激に照度低下しない照度分布で照明できる。さらに、天井面より線材等により吊設されるので、机上面に照明装置の設置スペースが不要になり、かつ被照明領域の片側端部の上方に照明装置が配置されることで、机上面上方に照明装置の配置されない広い空間が確保されながら、机上面に十分な照度の被照明領域が形成可能となる。【００１３】
（４）  （１）〜（３）のいずれか１項記載の机上照明装置であって、
前記第１反射部が、放物面からなる反射面を含む机上照明装置。【００１４】
この机上照明装置によれば、発光ダイオードからの光を集光して平行光化することができ、照度を向上することができる。【００１５】
（５）  （１）〜（３）のいずれか１項記載の机上照明装置であって、
前記第１反射部が、回転楕円体面からなる反射面を含む机上照明装置。【００１６】
この机上照明装置によれば、回転楕円体面の一方の焦点位置に発光ダイオードを配置して、他方の焦点位置を机上面あるいは机上面の上下のいずれかに設定することにより、集光性を調整して所望の照度分布に設定できる。【００１７】
（６）  （１）〜（３）のいずれか１項記載の机上照明装置であって、
前記第１反射部が、放物面からなる反射面と、回転楕円体面からなる反射面とが混在配置された机上照明装置。【００１８】
この机上照明装置によれば、放物面からなる反射面の個数と回転楕円体面からなる反射面の個数との混在比率を所望の比率に設定することで、集光性と光拡散性を適宜組み合わせた所望の照度分布にできる。【００１９】
（７）  （１）〜（６）のいずれか1項記載の机上照明装置であって、
前記アレイ状光源の各発光ダイオードが、複数列にわたって配列されかつ前記発光ダイオードの配置間隔を前記列毎に半周期分ずらすことで千鳥配置された机上照明装置。【００２０】
この机上照明装置によれば、発光ダイオードが千鳥配置されることで、スペース効率を高めた高密度な光源配置となり、単位面積当たりの照度を向上できる。【００２１】
（８）  （１）〜（７）のいずれか１項記載の机上照明装置であって、
前記第１反射部、前記第２反射部の少なくともいずれかの反射面に梨地加工が施されている机上照明装置。【００２２】
この机上照明装置によれば、梨地加工が施されることで、反射光が拡散されて、より広い範囲にわたって均一な照度で照明することができる。【００２３】
（９）  （１）〜（８）のいずれか１項記載の机上照明装置であって、
前記第１反射部と前記第２反射部とが一体に形成された机上照明装置。【００２４】
この机上照明装置によれば、第１反射部と第２反射部とが連続の反射面で形成可能となり、第１反射部の反射光と、第２反射部の反射光とが照射される被照明領域に、大きな照度差による不均一部（照度ムラ）が生じなくなる。また、照明装置をコンパクトな構成とすることができる。【００２５】
（１０）  （１）〜（８）のいずれか１項記載の机上照明装置であって、
前記第２反射部は、前記平板状の反射面と該反射面に接続される断面Ｕ字状の基部とからなる板状弾性体であり、
前記第１反射部と前記アレイ状光源は前記板状弾性体の基部に挿入され、前記板状弾性体の弾性復元力により前記基部内に保持される机上照明装置。【００２６】
この机上照明装置によれば、第２反射部が、平板状の反射面と、断面Ｕ字状の基部からなる板状弾性体であるので、弾性変形された板状弾性体に挿入された第１反射部とアレイ状光源が、この板状弾性体の弾性復元力によって位置決め保持されて収容される。これにより、アレイ状光源、第１反射部、および第２反射部の相対位置が簡単にかつ高精度に位置決めされて、均一な照度分布が形成される。【００２７】
（１１）  （１０）記載の机上照明装置であって、
前記第２反射部の平板状の反射面は、白色塗装面で形成された机上照明装置。【００２８】
この机上照明装置によれば、平板状の反射面が白色塗装面で形成されることで、発光ダイオードからの光を適度の光拡散効果を持たせつつ高輝度で反射させることができる。【００２９】
（１２）  （１０）または（１１）記載の机上照明装置であって、
前記アレイ状光源は、複数の発光ダイオードが表面側に実装された基板を有し、該基板の裏面が前記板状弾性体に放熱用低熱抵抗層を介して面接合された机上照明装置。【００３０】
この机上照明装置によれば、板状弾性体とアレイ状光源の基板裏面との間に放熱用低熱抵抗層を介して面接合されることで、アレイ状光源で発生した熱を板状弾性体により高効率で放熱でき、発光ダイオードの安定した連続点灯が可能となる。【００３１】
（１３）  （１２）記載の机上照明装置であって、
前記放熱用低熱抵抗層が、加熱硬化型シリコーン層である机上照明装置。【００３２】
この机上照明装置によれば、加熱硬化型シリコーンが例えば基板の裏面に塗布されることで、基板と第２反射部との間から空気を確実に排除した面接合構造が容易に形成でき、良好な放熱効果を、高い信頼性でかつ簡単に得ることができる。
【発明の効果】
【００３３】
本発明に係る机上照明装置によれば、省電力でありながら、高い照度でかつ照度分布を均一にすることができ、発熱量や消費電力の増加を招くことなく、机上面における被照明領域を全体にわたって有効な高照度で、かつ十分な光量で均一に照明できる。また、有効な照度分布の光重畳照射領域を、机上面の広い面積で形成することができ、最適な照度パターンを実現できる。この結果、机上用照明として良好な照明性能を得ることができる。
【図面の簡単な説明】
【００３４】
【図１】本発明の第１の実施の形態に係る机上照明装置を示す概略説明図である。
【図２】机上照明装置の頭部のＹＺ平面での断面図である。
【図３】照明ユニットの側面視を（ａ）、下面視を（ｂ）に表した説明図である。
【図４】照明ユニットの要部拡大斜視図である。
【図５】照明ユニットの分解斜視図である。
【図６】照明ユニットの光源光の光路を示す説明図である。
【図７】照度と光源からの距離との関係を、反射面の有無やその種類α、β、γに応じて調べた概念的なグラフである。
【図８】照明ユニットを多数用いてライン状に配設するときの一構成例を示す説明図である。
【図９】千鳥配列のアレイ状光源を備えた照明ユニットの要部斜視図である。
【図１０】実施例ａの頭部を（ａ）、実施例ｂの頭部を（ｂ）、比較例ｃの頭部を（ｃ）、比較例ｄの頭部を（ｄ）、比較例ｅの頭部を（ｅ）で表した構成図である。
【図１１】第３の実施の形態に係る机上照明装置の斜視図である。
【図１２】図１１に示した机上照明装置の頭部の下面図である。
【図１３】図１１のＡ−Ａ断面図である。
【図１４】図１３に示した照明ユニットの下面を上にして見た斜視図である。
【図１５】図１４に示した照明ユニット分解斜視図である。
【図１６】図１４に示した照明ユニットの下面視を（ａ）、正面視を（ｂ）、平面視を（ｃ）で表した外観図である。
【図１７】照明ブロック単体の斜視図である。
【図１８】照明ブロックの正面視を（ａ）、左側面視を（ｂ）、平面視を（ｃ）、右側面視を（ｄ）、背面視を（ｅ）、下面視を（ｆ）に表した外観図である。
【図１９】第２反射部の第１反射部保持構造を表す側面図である。
【図２０】第３の実施の形態に係る机上照明装置の光路を示す説明図である。
【図２１】図２０に示した机上照明装置による照度分布を表す模式図である。
【図２２】４列のＬＥＤを千鳥配列した頭部の下面視を（ａ）、Ｂ−Ｂ断面を（ｂ）に表した構成説明図である。
【図２３】第４の実施の形態に係る学習机の机上照明装置を示す概略説明図である。
【図２４】第５の実施の形態に係る吊り下げ型の机上照明装置を示す概略説明図である。
【図２５】回転楕円曲面からなる反射面の第２焦点がそれぞれ異なる位置である場合（ａ），（ｂ），（ｃ）の照度分布を示す説明図である。
【符号の説明】
【００３５】
１１…机上面、１７…頭部、２９…ＬＥＤ（発光ダイオード）、４１…第１反射部、４１Ａ…放物面からなる反射面、４２，７２…第２反射部、４２Ａ…平板状の反射面、６１…ベース、６３…支柱、６５…可動支持部、７７…発光部（アレイ状光源）、８１…板状弾性体、８１ａ…平板状の反射面を接続する基部、１００，２００…机上照明装置、１０１…机上用書棚、３００…学習机の机上照明装置、４００…吊り下げ型の机上照明装置、Ｓ…被照明領域
【発明を実施するための最良の形態】
【００３６】
以下、本発明に係る机上照明装置の好適な実施の形態について、図面を参照して詳細に説明する。
（第１の実施形態）
図１は本発明の第１の実施の形態に係る机上照明装置を示す概略説明図、図２は頭部のＹＺ平面での断面図である。
この実施の形態による机上照明装置１００は、机上面１１を照明するようになっており、主に不図示の駆動部と、支柱１３と、可動支持部１５と、頭部１７とを備えている。なお、図中、１６は支持アーム、１９は机、２１は机上面１１に置かれたＰＣ（パーソナルコンピュータ）のモニタ、２３はＰＣのキーボードを示す。【００３７】
駆動部は、頭部１７に設けられた照明ユニット２５に発光用の駆動電力を供給するものであり、例えばフルレンジトランス等を用いることができる。駆動部は商用電源に接続され、例えばＡＣ１１０Ｖ〜２２０Ｖ、５０Ｈｚ〜６０Ｈｚ等の電力を、ＤＣ１２Ｖ（ＤＣ６ＶやＤＣ２４Ｖ等の任意の電圧、或いは交流であってもよい）の駆動電圧に変換して照明ユニット２５に供給する。【００３８】
照明ユニット２５は、ライン状にＬＥＤを１列配列（これを、「アレイ状光源」と呼ぶ）してユニット化されている。本実施形態では、照明ユニット２５が、背板２７と、光源である多数個のＬＥＤ２９を基台である配線基板（プリント基板）３１上に直線的に配設した発光部３３と、反射鏡部材３５とを有している。背板２７は、反射鏡部材３５との間に配線基板３１を挟み込んで反射鏡部材３５に着脱自在に組み付けられる。【００３９】
次に、照明ユニット２５について説明する。
図３は照明ユニットの側面視を（ａ）、下面視を（ｂ）に表した説明図、図４は照明ユニットの要部拡大斜視図、図５は照明ユニットの分解斜視図である。
照明ユニット２５は、図３（ａ）に示すように、反射鏡部材３５に背板２７が組み付けられ、この状態で高さＨを有する。高さＨは、本実施形態においては概ね１５ｍｍ程度であり、白熱電球や蛍光灯等を光源として用いた場合と比較して大幅に薄型化されている。そのため、机１９の上方に位置する場合であっても、照明ユニット２５の存在は邪魔にならない。なお、照明ユニット２５の高さＨは、低すぎると反射鏡部材３５の後述する偏向特性が損なわれ、高すぎると設置スペースを要して本照明ユニット２５の配置自由度が低下する。【００４０】
反射鏡部材３５は、図２および図３（ａ），（ｂ）に示すように、長尺板状の取付基部３７（図５参照）と、この取付基部３７に一体に形成され中心位置に開口を有し光出射側が拡開した放物面からなる反射面（以下、「放物面鏡」とも呼称する）４１Ａを複数個（本実施形態においては合計１６個）形成した第１反射部４１と、図４に斜視図を示すように、第１反射部４１よりもさらに光出射側に一体に設けられ、複数の放物面鏡４１Ａの配列方向と平行な方向に平板状の反射面（以下、「平面板鏡」とも呼称する）４２Ａを形成した第２反射部４２とを有する。この反射鏡部材３５は、射出成形により一体成形された樹脂成形品であって、少なくとも第１反射部４１と第２反射部４２の光反射面にはアルミ蒸着等によるコーティング加工が施されて鏡面を形成している。第１反射部４１と第２反射部４２とが一体に形成されることにより、反射鏡部材３５をコンパクトな構成にでき、連続の反射面が形成可能となって、第１反射部４１の反射光と第２反射部４２の反射光とが照射される被照明領域Ｓ（図１参照）に、大きな照度差による不均一部（照度ムラ）が生じなくなる。また、光反射面の表面処理としては、これに限らず、他の常套手段が利用可能である。【００４１】
背板２７は、図５に示すように、平坦な形状のベース部３１１と、ベース部３１１の長手方向の複数箇所（本実施形態においては５箇所）で、ベース部３１１の内側面に配線基板３１の背面側を支持するリブ３１２と、反射鏡部材３５と係合するロック爪３１３とを有する。このロック爪３１３は、縦断面が“Ｕ”の字状のフック形状に形成されている。【００４２】
配線基板３１は、例えばガラスエポキシや紙フェノール等のプリント基板で構成されており、反射鏡部材３５の長手方向に沿って、個々の放物面鏡４１Ａに対応して複数個（ここでは１６個）のＬＥＤ２９が実装されている。配線基板３１の一端からはリード線Ｌが引き出され、図示しない駆動部に接続されている。本実施形態の配線基板３１は、片面実装モジュールのために、障害発生時に問題点を発見し易く、メンテナンス性に優れた安全なモジュールとされている。【００４３】
取付基部３７は、長手方向両端に照明ユニット２５の固定用のブラケット３５１が形成されているとともに、長手方向とは直交する両脇側に、背板２７のロック爪３１３が係合する係合部３５２を設けてある。従って、反射鏡部材３５と背板２７とによって配線基板３１を挟み込み、ロック爪３１３のスナップアクションにより、背板２７と、配線基板３１と、反射鏡部材３５の取付基部３７とが脱着自在に組み付けられる。【００４４】
第１反射部４１は、放物面鏡４１ＡがＬＥＤ２９を焦点位置とした放物面を含む曲面形状を有するものであり、この放物面の焦点位置にあるＬＥＤ２９からの出射光の多くは平行光（コリメートメート光）となって机上面１１に向かう。なお、この第１反射部４１の放物面鏡４１Ａとしては、詳細は後述するが、放物面形状に限定されるものではなく、例えば回転楕円体面や双曲線（ハイパボリック）等の曲線によって形成される凹面であってもよい。【００４５】
第２反射部４２は、図２に示すように、放物面鏡４１Ａの並び方向に直交する方向の片側に平面板鏡４２Ａが形成されている。つまり、ＬＥＤ２９を中心とする机上面１１の手前側と奥側のうち奥側のみに平面板鏡４２Ａが配置されている。被照明領域Ｓとの関係で表せば、机上面１１における被照明領域ＳにおけるＬＥＤ２９の列方向に直交する方向の手前側と反対側となる奥側に配置される。【００４６】
図２に示すように、背板２７、配線基板３１、取付基部３７（反射鏡部材３５）を互いに組み付けると、前述したように、第１反射部４１の放物面鏡４１Ａの焦点位置にＬＥＤ２９の発光面が位置することになる。反射鏡部材３５には、図示は省略するが、配線基板３１裏面に当接する面が離散的に配置されており、ＬＥＤ２９の発光面が放物面鏡４１Ａの焦点位置となるように、この当接面の高さが調整されている。即ち、配線基板３１が反射鏡部材３５に形成された基板収容位置に納まる際、背板２７のリブ３１２が、この当接面に配線基板３１を押圧するようにしてその高さが設定されている。【００４７】
従って、背板２７、配線基板３１、取付基部３７（反射鏡部材３５）を単に組み合わせるだけで、放物面鏡４１Ａの焦点位置とＬＥＤ２９の発光面の位置が簡単にして高精度に一致させることができる。この構成により、例えばねじ等の締結手段を用いることなく簡単に組み付けでき、部品点数を減らして、組立や調整のための工程を軽減でき、生産性の向上が図られる。【００４８】
次に、上記構成の照明ユニット２５に関する光学的特性について、図２および図６を参照しながら説明する。
照明ユニット２５の反射鏡部材３５は、前述したように、第１反射部４１と第２反射部４２とが連続して形成されており、第１反射部４１の基端部には、ＬＥＤ２９の発光面を放物面鏡４１Ａの焦点位置に配置させるための開口４３が設けてある。第１反射部４１の放物面鏡４１Ａは、ＬＥＤ２９の発光面を焦点位置とする放物面からなる反射面を有しており、第１反射部４１で反射したＬＥＤ２９からの光は机上面１１（図１参照）に向けて略平行（コリメート）化して進行する。これにより、放物面鏡４１Ａで反射した光は、図６に示すように、専ら机上面１１のＬＥＤ２９直下、およびその周辺を照明する。【００４９】
一方、第２反射部４２は、第１反射部４１の一部から連続して連なるように、かつ、机上面１１に向けて拡開する傾斜角度θで平面板鏡４２Ａが設けられている。即ち、この第２反射部４２の平面板鏡４２Ａは、放物面鏡４１Ａの配列方向、即ちＬＥＤ２９の配列（Ｘ）方向に対して平行な方向に沿って配置された平板形状を有している。【００５０】
この第２反射部４２の平面板鏡４２Ａは、発光ダイオードを中心とする机上面１１の手前側と奥側のうち奥側のみに配置される。これにより、机上面１１（図１参照）の奥側からさらに後方へ漏光しないように、この方向へ向かう不要な光（カット領域ＣＴの光）を手前側に反射するようになっている。【００５１】
さらに、平面板鏡４２Ａは、図６に示すように、ＬＥＤ２９からの光のうち、第１反射部４１に入射されなかった光軸（中心）寄りの光の一部を受けて、机上面１１の手前（Ｙ）方向に向けて反射させるようになっている。これにより、平面板鏡４２Ａで反射した光がＬＥＤ２９の直下を基準として、奥側から手前側にかけて非対称になる照度パターンで、つまり机上面１１の奥側（照明領域Ｐ１）よりも手前側（照明領域Ｐ２）に照明領域がシフトした分布で照明する。【００５２】
このように、第１反射部４１は反射面領域Ｍ１を有し、第２反射部２７は反射面領域Ｍ１から連続して形成される反射面領域Ｍ２を有する。このため、第１反射部４１，第２反射部４２によって反射された光は、広汎な照明光となって机上面１１上の被照明物に均等に照射される。しかも、この照明ユニット２５は、机上面１１の奥側に設置してあるので、机上空間が広くなり干渉しにくくなっている。さらに、反射鏡部材３５は、第２反射部４２の平面板鏡４２Ａから外側への光の漏れを防止している。つまり、この平面板鏡４２Ａにより机上面１１の奥側への光の漏れが低減し、光が机上面１１の奥側からはみ出して、後方へ向かう光成分を遮断することができる。例えば図１に示すように、机上面１１の後部に載置したモニタ２１へ照明光が照射されることを確実に防止し、モニタ表示面に照明光の反射が発生することによる視認性の低下が防止される。【００５３】
なお、ＬＥＤ２９の光軸に対する平面板鏡４２Ａの開き角度θは、机上面１１から頭部１７までの高さとの関係にもよるが、さらに、以上説明してきた要件、つまり下記の要件を満たすように設定している。即ち、
（１）第１反射部４１によって照射されなかった机上面１１の非照明領域を補償するように照射させる照度分布を有すること。
（２）できるだけ机上面１１の手前部にまで照明光が及ぶこと。
（３）所望の被照明領域となる机上面１１からはみ出さない（眩光防止）角度に設定されること。そこで、本実施形態の場合は、平面板鏡４２Ａの傾斜角度がＬＥＤ２９の光軸に対して１３度〜１８度の範囲で設定されている。【００５４】
本実施形態に用いられるＬＥＤ２９の素子自体は、例えば１２０°等の広い出射角を有しているが、この出射角に応じて放物面鏡４１Ａの形状を最適に設定することで、出射した光のうち、第１反射部４１へ向かい、その第１反射部４１に捕らえられて平行光化に寄与する割合が高くなりすぎないように補正できる。このような補正により、机上面１１の奥側から手前側までの範囲で照度分布の均一化効果が高められる。
一方、ＬＥＤ２９から出射した光のうち第２反射部４２へ向かう光成分が増加しても、第２反射部４２のＺ方向の長さや開き角度θ（図２参照）を最適に設定することで、机上面１１の所望の被照明領域からはみ出すことがなく、同時にＬＥＤ２９の直下から机上面１１の手前側へ照射される光成分を増大させることができる。これにより、机上面１１の手前側に載置されたキーボード２３や書類などの視認対象物に十分な照度を提供することができる。【００５５】
次に、照明ユニット２５の光到達距離について説明する。
図７は本実施形態における照明ユニット２５の光源による照度と光源からの距離との関係を、反射面の有無やその種類α、β、γに応じて調べた概念的なグラフである。なお、各グラフα、β、γにおける限界照度δ以上となる領域が、机上照明に利用可能な有効照度を有する領域である。【００５６】
机上照明装置１００により机上面１１の視認対象物を照明する際に十分な照度を有する領域の広さは、机上面１１の幅方向（Ｘ）ばかりでなく、手前方向（Ｙ）への照明光の到達距離が大きく関係する。
図７に示すように、机上面１１を十分な照度で照明できる限界範囲が図中δで示すラインよりも上側範囲であるとすると、反射鏡部材３５を備えない場合（α）には光源直下から距離Ｌ１を超えると照度不足となる。一方、第１反射部４１の放物面鏡のみ備えた場合（β）には、距離Ｌ２では許容内の照度を有しているが、距離Ｌ２を超えると照度不足となる。他方、本発明のような第１反射部４１の放物面鏡４１Ａと第２反射部４２の平面板鏡４２Ａとを共に備えた場合（γ）には、距離Ｌ１、Ｌ２から大きく隔てた距離Ｌ３まで照度不足を生じない。このように、本発明に係る構成の場合、机上面１１手前側への光到達距離を、放物面鏡４１Ａと平面板鏡４２Ａとの相乗効果により、飛躍的に伸ばすことができる。【００５７】
以上説明したように、本実施形態に係る照明ユニット２５およびこれを備えた机上照明装置１００によれば、ＬＥＤ２９からの光束を第１反射部４１で反射して、机上面１１に向けて略平行化する。一方、第１反射部４１に入射しなかったＬＥＤ２９からの光束のうち第２反射部４２に照射されずにそのまま通過した光は、机上面１１の直下および手前部に向けて拡散しつつ投光される。また、第２反射部４２に照射され反射された光は、机上面１１の手前部に向けて投光される。これにより、机上面１１の被照明領域Ｓを、机上面１１の手前部に向けて拡大させることができる。【００５８】
しかも、光源となるＬＥＤ２９自体が安価に供給されているため、机上照明装置１００全体を低コストで作製することができる。さらに、光源の消費電力は、白熱電球や蛍光灯等と比較して大幅に低いため、ランニングコストも低減できる。具体的には、同一照度下において、ＬＥＤ２９は、消費電力がネオン灯の１／６であり、蛍光灯の１／８である。このことは、照明のエネルギ効率を向上させ、ＣＯ２排出削減等の環境問題に及ぼす影響を削減することに寄与することになる。また、ＬＥＤ２９が低電圧駆動のために、ショックハザード等の設置後のトラブルが起こり難い。さらに、ここで使用するＬＥＤは、出射光の大部分が概ね４５０ｎｍの青色から７００ｎｍの赤色までの範囲に限られた波長パターンであるので、３８０ｎｍ以下の紫外線や７６０ｎｍを越える赤外線を殆ど含まないために、被照明物を傷めることがない。【００５９】
また、本実施形態の照明ユニット２５は、ＬＥＤ２９の光出射側に第１，第２反射部４１，４２からなる反射鏡を設けているために、ＬＥＤ２９の背面側に設ける場合と比較して、照明ユニット２５の厚みを薄く構成することができる。これは、頭部１７の配置スペースの限られた机上面１１上空間に配置する際に特に有利となる。また、レンズ等により光路を偏向させる構成と比較して、光学系を簡単にでき、装置コストを低減できる上に、レンズ透過時の光吸収等によって光利用効率が低下することを防止できる。【００６０】
図８は照明ユニットを多数用いてライン状に配設するときの一構成例を示す説明図である。
ＬＥＤ２９は、複数個を１ユニットとしたアレイ状として発光部３３を構成したが、図８に一設置例を示すように、商用電源から引き出したフラットケーブル５１の一部に接続用コネクタ５３を介在させることにより、複数個の照明ユニット２５を容易に配置することができる。例えば、一つの頭部１７に３個の照明ユニット２５を用い、さらに他の頭部１７にも照明ユニットを同様に設置する場合には、図示例の３つの照明ユニット２５を１つの接続用コネクタ５３から配線を引き出して設置し、他の頭部１７は、別の接続用コネクタから配線を引き出して設置する。つまり、頭部１７と他の頭部１７との間はフラットケーブル５１で接続される。同じ机上面１１上の照明ユニット２５同士は、図示例のように並列接続でもよいが、照明ユニット２５同士をチェーン状に直接接続する直列接続とすることで、配線を簡略化できる。【００６１】
また、反射鏡部材３５は、第１反射部４１の放物面鏡４１Ａの反射面を、厳密な放物面とすることなく、例えば双曲線などの任意の曲線を基に形成される曲面としてもよい。いずれにせよ、放物面などに近似した曲面であれば良く、また、微細な平面鏡が組み合わさって全体として放物面状などに形成したものであってもよい。【００６２】
ここで、本実施形態における照明ユニット２５は、例えば反射鏡部材３５の各反射面において、多数の細かい凹凸を設けて梨地状に形成してもよい。反射面の少なくとも一部を梨地面とすることで、梨地加工を行わない場合と比較して、照度が均一となる範囲が広くなり、一台の照明ユニットによって、より広範囲にわたる均一照明を行うことが可能となる。また、照明光の色ムラの発生も防止される。【００６３】
（第２実施形態）
次に、本発明に係る照明ユニットの第２実施形態について説明する。なお、本実施形態においては、第1の実施形態と同一部分には同一符号を付して重複する説明は省略するものとする。
図９は千鳥配列のアレイ状光源を備えた照明ユニットの要部斜視図である。
本実施形態の照明ユニット２５Ａは、より高輝度で広範囲の机上面照明を行うためのものであり、前述の第１実施形態に示した照明ユニット２５において、複数個のＬＥＤ２９を直列に配置したアレイ状の発光部３３を複数列（本実施例では２列）平行に配置し、かつ、各発光ダイオードの列毎に、発光ダイオードの配置間隔を半周期分ずらすことで、千鳥状に配置している。照明ユニット２５Ａの各列におけるＬＥＤ２９の配置間隔は、隣接する各列の発光部３３からの照射光の強度を重ね合わせた全照度分布ができるだけ均一となるように設定される。【００６４】
この構成によれば、照明ユニット２５ＡがＬＥＤ２９を複数列状にアレイ化することで、照度を向上できるとともに照度が均一となる範囲を拡大させることができ、照明する机上面１１の手前部までさらに高輝度で照明することができる。【００６５】
上記したように、反射鏡部材の構造は適宜変更可能であり、その他にも、次のような変更があってもよい。即ち、ＬＥＤ２９の配列は、直線状の１列および２列であったが、２列以上の多数列の場合には千鳥配置以外の適宜の規則的配置（正方配列など）、あるいはランダムな配置の構成としてもよい。また、前述したように、第２反射部４２の平面板鏡４２ＡのＬＥＤ２９の光軸に対する開き角度θ（図２のθと同様）を変更することで、ＬＥＤ２９からの出射光の偏向状態を調整することができる。
【実施例１】
【００６６】
次に、第１の実施形態における机上面１１と同様の設置面に、それぞれ、図１０（ａ）〜（ｅ）に示す構成を有する本発明の実施例ａ，ｂ、および比較例ｃ，ｄ，ｅによる照明装置を設置し、５００ｍｍ下方の机上面１１を照明したときの照度分布を調べる比較実験を行った。
図１０は実施例ａの頭部を（ａ）、実施例ｂの頭部を（ｂ）、比較例ｃの頭部を（ｃ）、比較例ｄの頭部を（ｄ）、比較例ｅの頭部を（ｅ）で表した構成図である。【００６７】
実施例ａ，ｂは、片側だけに第１反射部４１から延長される第２反射部４２が形成されたものを用い、比較例ｃ，ｄ，ｅは、第１の実施形態と同様の構成の机上照明装置１００において、第２反射部４２を両側に一対形成したものを用いた。【００６８】
各実施例ａ，ｂおよび比較例ｃ〜ｅにおける反射鏡部材の高さは、次の通りである。
実施例ａ  ｈ１＝７．９ｍｍ、ｈ２＝６．７５ｍｍ、θａ＝１８度
実施例ｂ  ｈ１＝７．９ｍｍ、ｈ２＝６．００ｍｍ、θｂ＝１３度
比較例ｃ  ｈ１＝７．９ｍｍ、ｈ２＝６．７５ｍｍ、ｈ３＝１４．６５ｍｍ
比較例ｄ  ｈ１＝６．３ｍｍ、ｈ２＝６．００ｍｍ、ｈ３＝１２．３０ｍｍ
比較例ｅ  ｈ１＝５．５ｍｍ、ｈ２＝６．００ｍｍ、ｈ３＝１１．５０ｍｍ
いずれの構成も反射面には梨地加工が施されている。【００６９】
実施例ａは、反射鏡部材３５の高さが１４．６５ｍｍであって、実施例ｂは反射鏡部材３５の高さがおよそ５％カットされた１３．９ｍｍとなっている。
一方、比較例ｃは、反射鏡部材３５の高さが実施例ａと同じで、比較例ｄは、反射鏡部材３５の高さが比較例ｃに比べて２０％カットされている。さらに、比較例ｅは、反射鏡部材３５の高さが比較例ｃに比べて３０％カットされている。【００７０】
また、ここでの照度測定は、暗室内にて上記５モデルの照明装置を設置し、予め設定した各測定位置の照度を照度測定装置（横河インスツルメンツ株式会社製型名５１０ ０２）により測定した。
このようにして照度測定を行ったときの結果を、下表に示す。【００７１】
【表１】
2008153104.tif 000003
【００７２】
上記のように、実施例ａにおいては、光源直下からＹ方向に最も離れた手前部（距離４００ｍｍの位置）でも２３[lx]の照度が確保され、実施例ｂにおいても、光源直下からＹ方向に最も離れた手前部（距離４００ｍｍの位置）でも１９．５[lx]の照度が得られた。【００７３】
一方、比較例ｃでは、光源直下からＹ方向に３００ｍｍ離れた位置で３６[lx]の照度が得られたことが確認されたが、４００ｍｍ離れた位置では２[lx]まで急激に減衰することが判明した。これにより、最前部（４００ｍｍ）においては照度不足となる。【００７４】
また、比較例ｄでは、比較例ｃとほぼ同様の結果が得られた。即ち、光源直下からＹ方向に３００ｍｍ離れた位置で３５[lx]の照度が得られたが、４００ｍｍ離間した位置では４[lx]まで急激に減衰することが判明した。つまり、比較例ｃと同様、最前部（４００ｍｍ）においては良好な机上面照明が行えないことになる。【００７５】
さらに、比較例ｅでは、比較例ｃ、ｄに比べると照度分布が向上していることが確認された。即ち、光源直下からＹ方向に３００ｍｍ離れた位置で３６[lx]の照度が得られ、４００ｍｍ離れた位置では１２[lx]まで減衰することが判明した。しかしながら、実施例ａ，ｂに比べると、最前部（４００ｍｍ）における照度が低く、十分な照度で机上面照明を行うことができない。【００７６】
（第３実施形態）
次に、本発明に係る照明ユニットの第３実施形態について説明する。なお、本実施形態においては、第1の実施形態と同一部分には同一符号を付して重複する説明は省略するものとする。
図１１は第３の実施の形態に係る机上照明装置の斜視図、図１２は図１１に示した机上照明装置の頭部の下面図、図１３は図１１のＡ−Ａ断面図である。
この机上照明装置２００は、図１１に示すように、机上面１１に設置されるベース６１と、このベース６１に立設された支柱６３と、支柱６３に接続され先端に頭部１７Ａを可動に支持する可動支持部６５とを有する。【００７７】
ベース６１には不図示の駆動部が設けられ、駆動部はベース６１に接続された電源線６７によって商用電源が供給される。ベース６１の上面には電源スイッチ６９、光量調整用ホィール７０が設けられている。電源スイッチ６９は、押下動作によって駆動部からＬＥＤ２９へ駆動電流を供給する給電回路の開閉を行う。光量調整用ホィール７０は頭部１７Ａに収容された発光部の輝度を回転動作により調整する。
また、図１２に示すように、頭部１７Ａには照明ユニット２５Ｂが収容され、照明ユニット２５Ｂは第１反射部４１が千鳥配列された２つの照明ブロック７１，７１と、第２反射部７２とを有する。図９に示す照明ユニットとは、第１反射部４１と第２反射部４２が別部材により形成されている点で異なっている。
図１３に示すように、第２反射部７２は、平板状の反射面７２Ａとこの反射面７２Ａに接続される断面Ｕ字状の基部８１ａとからなる板状弾性体８１であり、第１反射部４１とアレイ状光源となる配線基板３１は板状弾性体８１の基部８１ａに挿入されている。【００７８】
ここで、照明ユニット２５Ｂについて説明する。
図１４は図１３に示した照明ユニットの下面を上にして見た斜視図、図１５は図１４に示した照明ユニット分解斜視図、図１６は図１４に示した照明ユニットの下面視を（ａ）、正面視を（ｂ）、平面視を（ｃ）で表した外観図である。
照明ユニット２５Ｂは、２つの照明ブロック７１，７１を長手方向で直線状に接続して、第２反射部７２内に収容している。２つの照明ブロック７１，７１は、複数（本実施形態では９つ）の第１反射部４１を２列のライン状に配置したアレイ状光源である発光部７７を構成している。第１反射部４１は、ＬＥＤ２９のそれぞれに対応して発光部７７の光出射側に設けられ、机上面１１に向けて拡開した曲面形状を有している。【００７９】
第２反射部は、第１反射部４１のさらに光出射側でＬＥＤ２９の列方向に沿って設けられている。また、第２反射部７２は、ＬＥＤ２９からの光を光出射側に向けて反射する平板状の反射面（平面板鏡）７２ＡがＬＥＤ配列方向に直交する方向の片側のみに配置されている。また、机上面１１における被照明領域Ｓと関係付けて表すと、第２反射部７２は被照明領域ＳにおけるＬＥＤ配列方向に直交する方向の、奥側となる片側のみに配置されている。【００８０】
それぞれの照明ブロック７１，７１は、長手方向両端部がＺ字状の段部７３ａ，７３ｂで形成され、段部７３ａ，７３ｂ同士が相互に組み合わされて直線状に接続されている。複数連結された照明ブロック７１，７１は、図１５に示すように、段部７３ａ，７３ｂと一致するエンドピース７５が長手方向両端に組み合わされることで、図１６に示した直方体に組み立てられるようになっている。【００８１】
図１７に照明ブロック単体の斜視図、図１８に照明ブロックの正面視を（ａ）、左側面視を（ｂ）、平面視を（ｃ）、右側面視を（ｄ）、背面視を（ｅ）、下面視を（ｆ）表した外観図を示した。
図１７に示す単体の照明ブロック７１は、射出成形により一体成形された樹脂成形品であって、少なくとも第１反射部４１の光反射面（放物面鏡４１Ａ）にはアルミ蒸着等によるコーティング加工が施されて鏡面を形成している。また、放物面鏡４１Ａは、上記した多数の細かい凹凸を設けた梨地状に形成してもよい。また、照明ブロック７１にはそれぞれのＬＥＤ２９に対応して図１８に示す開口孔７９が穿設され、開口孔７９は照明ブロック７１を厚み方向に貫通し、配線基板３１に実装されたＬＥＤ２９を表出可能としている。【００８２】
ここで、図１９に第２反射部の第１反射部保持構造を表す側面図を示した。
本実施の形態における第２反射部７２は、図１９に示すように、平面板鏡７２Ａに接続される板状弾性体８１の基部８１ａが断面Ｕ字状を呈しており、板状弾性体８１の内側が照明ブロック７１の収容空間８３となる。この板状弾性体８１の基部８１ａを平面板鏡７２Ａの傾斜角度を広げるように押し広げて外側へ撓ませることで、収容空間８３内に挿入した第１の反射部（照明ブロック７１）、配線基板３１を、折曲部８５を脱落防止フックとして係止し、板状弾性体８１の弾性復元力により所定の保持力で収容するようになっている。すなわち、平面板鏡７２Ａのスナップアクションにより、照明ブロック７１が第２反射部７２に簡単に組み付けられるようになっている。【００８３】
つまり、照明ユニット２５Ｂは、第２反射部７２が、平面板鏡７２Ａと、断面Ｕ字状の板状弾性体８１からなる基部８１ａとを接続してなり、弾性変形された板状弾性体８１の内側に挿入された照明ブロック７１が、この板状弾性体８１の弾性復元力によって移動不能に位置決め保持されて収容される。これにより、ＬＥＤ２９、第１反射部４１、および第２反射部７２の相対位置が位置決めされ、簡単に高精度な光軸合わせができる。【００８４】
なお、板状弾性体８１は、金属製(例えば、アルミ、ステンレス鋼材など）の板金部材からなり、第２反射部７２の平板状の反射面は、白色塗装面で形成しており、これにより、ＬＥＤ２９からの光を適度の光拡散効果を持たせつつ高輝度で反射させることができる。【００８５】
また、この照明ユニット２５Ｂでは、照明ブロック７１の上面に組み付けられた配線基板３１の表面に放熱用低熱抵抗層８７が塗布される。放熱用低熱抵抗層８７は、加熱硬化型シリコーンの塗布によって形成することができる。この加熱硬化型シリコーンにはサンハヤト株式会社製の放熱用シリコーンＳＣＶ−２２（熱伝導率０．９２Ｗ／ｍｋ）や、信越化学工業株式会社製の放熱用シリコーンＲＴＶゴム  Ｘ−３２−２１２９（熱伝導率０．９Ｗ／ｍｋ）等を好適に用いることができる。塗布された放熱シリコーン８７は、照明ブロック７１が第２反射部７２の収容空間８３に保持されることで、照明ブロック７１と板状弾性体８１との間隙に充填された状態となる。つまり、照明ブロック７１と板状弾性体８１との間から空気を排除した面接続構造となる。これにより、照明ブロック７１及び配線基板３１からの熱伝導性を高め、ＬＥＤ２９の発光により発熱した熱量を、板状弾性体８１を利用して高効率で放熱させることができ、ＬＥＤ２９の安定した連続点灯が可能となる。【００８６】
次に、上記構成の机上照明装置による照明効果について説明する。
図２０は第３の実施の形態に係る机上照明装置の光路を示す説明図、図２１は図２０に示した照明ユニットの照度分布を表す模式図である。
この机上照明装置２００では、図２０に示すように、第１反射部４１がＬＥＤ２９からの光を光出射側に向けて略平行化して反射させ、かつ第２反射部が第１反射部に入射しなかった発光ダイオードからの光等を光出射側の斜方（机上の手前側）に向けて反射させることができる。また、複数のＬＥＤ２９がライン状に配置されることで、机上全面を奥側から手前側に向かって急激に照度低下しない照度分布で照明できる。さらに、ベースに立設した支柱に、可動支持部を介して頭部を支持させて移動可能に構成されるので、机上面の任意の位置にベースを設置して、机上面の所望位置に簡便に被照明領域が形成可能となる。【００８７】
図２１に本実施形態の机上照明装置の照度分布を模式的に示した。
図２１に示すように、本実施形態の机上照明装置２００による照明光は、光源直下の位置を略境にして、机上の手前側に向かって急激に照度が低下せず、机上の奥側は急激に照度を低下させた照度分布の被照明領域Ｓとなり、光源直下から机上の手前側へ広く被照明領域が拡大した分布となっている。【００８８】
また、机上面の任意の位置にベース６１を設置することにより、机上面の所望位置に簡便にして十分な面積の被照明領域Ｓが形成可能となる。なお、図２１中、９１は第２反射部７２を両側に設けた構成の被照明領域を示し、９３は第１反射部４１及び第２反射部７２が設けられない構成の照度分布を示しており、いずれも机上面手前側までの被照明領域を照明できない状態となっている。【００８９】
したがって、上記構成の机上照明装置２００によれば、ＬＥＤ２９をライン状に配置したアレイ状光源である発光部７７と、ＬＥＤ２９のそれぞれに対応して机上面１１に向けて拡開した第１反射部４１と、第１反射部４１の光出射側でＬＥＤ２９の列方向に直交する方向の片側のみに配置された第２反射部７２とを具備したので、第１反射部４１がＬＥＤ２９からの光を光出射側に向けて略平行化して反射させ、かつ第２反射部７２が第１反射部４１に入射しなかったＬＥＤ２９からの光を反射させることにより、省電力でありながら、高い照度で机上の手前側までの領域を均一に照明することができ、発熱量や消費電力の増加を招くことなく、机上面１１における被照明領域Ｓ全体にわたって高照度で均一に照明できる。【００９０】
また、複数のＬＥＤ２９をライン状に配置しているので、急激に照度低下しない照度分布の被照明領域Ｓを、光源直下位置から机上の手前側へ広く拡大させることができ、実用上十分な照度の光重畳照射領域を、机上面１１の広い面積で形成することができる。この結果、本机上照明装置２００を机上照明用として用いた場合に、被照明対象の良好な視認性を得ることができる。【００９１】
次に、上記の机上照明装置の変形例を説明する。
図２２は４列のＬＥＤを千鳥配列した頭部の下面視を（ａ）、Ｂ−Ｂ断面を（ｂ）に表した構成説明図である。
上記の第３の実施の形態に係る机上照明装置２００は、照明ブロック７１，７１を直線状に接続した頭部１７Ａを備えた構成例で説明したが、この他、図２２に示すように、頭部１７Ｂは照明ブロック７１，７１が並列配置されてもよい。このような並列配置構成とすれば、机上面１１の奥行き方向にＬＥＤ２９の配列数を増やすことができるので、ＬＥＤ２９からの出射光を、アレイ状光源の直下から机上手前側へさらに広く拡大させることができる。また、頭部の横幅をコンパクトにでき、照明装置設置の自由度が高められる。なお、ここでは、ＬＥＤの列を４列として示しているが、これに限らず任意の複数列とすることができる。【００９２】
（第４の実施形態）
図２３は第４の実施の形態に係る学習机の机上照明装置を示す概略説明図である。なお、本実施形態においては、第３の実施形態と同一部分には同一符号を付して重複する説明は省略するものとする。
この実施の形態による学習机の机上照明装置３００は、机上面１１の後部に設けられた机上用書棚１０１の棚板１０３の下面に設けられ、机１９の机上面１１を照明する。机上用書棚１０１の上部には書籍１０５が載置される本立て等を有する。【００９３】
机上照明装置３００は、複数のＬＥＤ２９を少なくとも１列のライン状に配置したアレイ状光源（発光部７７）と、複数のＬＥＤ２９のそれぞれに対応して発光部７７の光出射側に設けられ机上面１１に向けて拡開した曲面形状を有する第１反射部４１と、この第１反射部４１のさらに光出射側でＬＥＤ２９の列方向に沿って設けられかつＬＥＤ２９からの光を光出射側に向けて反射する平面板鏡７２ＡがＬＥＤ配列方向に直交する方向の片側のみに配置された第２反射部７２とを備える。【００９４】
この学習机の机上照明装置３００によれば、前述の各実施形態の机上照明装置と同様の効果に加え、机上面１１の後部に設けられた机上用書棚１０１の棚板１０３に設けられることで、第２反射部７２からの反射光が机上面１１の手前部に向けて照射され、机上面上方に照明装置の配置されない広い空間が確保されながら、机上面１１の奥部から手前部までが十分な照度で照明可能となる。【００９５】
（第５の実施形態）
図２４は第５の実施の形態に係る吊り下げ型の机上照明装置を示す概略説明図である。なお、本実施形態においては、第３の実施形態と同一部分には同一符号を付して重複する説明は省略するものとする。
この実施の形態による吊り下げ型の机上照明装置４００は、天井面１１１より電線等を含む線材１１３により吊設され、机上面１１を照明する。【００９６】
机上照明装置４００は、複数のＬＥＤ２９を少なくとも１列のライン状に配置したアレイ状光源（発光部７７）と、複数のＬＥＤ２９のそれぞれに対応して発光部７７の光出射側に設けられ机上面１１に向けて拡開した曲面形状を有する第１反射部４１と、この第１反射部４１のさらに光出射側でＬＥＤ２９の列方向に沿って設けられかつＬＥＤ２９からの光を光出射側に向けて反射する平面板鏡７２ＡがＬＥＤ配列方向に直交する方向の片側のみに配置された第２反射部７２とを備える。【００９７】
この吊り下げ型の机上照明装置４００によれば、前述の各実施形態の机上照明装置と同様の効果に加え、天井面１１１より線材１１３により吊設されるので、机上面１１に照明装置の設置スペースが不要になり、かつ被照明領域Ｓの一端側上方に配置されることで、机上面上方に照明装置の配置されない広い空間が確保されながら、机上面１１に十分な照度の被照明領域Ｓが形成可能となる。【００９８】
以上説明した各実施形態の机上照明装置では、反射鏡部材の第１反射部の反射面を放物面として説明したが、これ以外の任意の凹曲面であってもよい。
ここで、第１反射部４１の反射面を回転楕円曲面とした例、および、回転楕円曲面と放物面とを混在配置した例を説明する。
図２５は、回転楕円曲面からなる反射面の第２焦点がそれぞれ異なる位置である場合（ａ），（ｂ），（ｃ）の照度分布を示す説明図である。なお、図中、第２反射部は省略している。
回転楕円曲面は２つの焦点位置があり、一つはＬＥＤ２９の発光面位置に設定し、他の焦点位置（第２焦点）は、第１反射部４１の形状により任意に設定することができる。ここで、第２焦点を机上面よりも上方手前側に設定した場合（ａ）は、ＬＥＤ２９からの反射光が第２焦点で一旦集束され、第２焦点から机上面までの間で広がることで、机上面上では広い範囲にわたって照明光が得られる。また、第２焦点を机上面に一致させた場合（ｂ）は、狭い範囲を高強度で照明することができる。さらに、第２焦点を机上面より下側に設定した場合（ｃ）は、平行光に近い状態で照明光が得られ、放物面と同様な指向性を有する照明光が得られる。【００９９】
したがって、これらの照度分布を有する各回転楕円曲面や放物面を使用目的に応じて使い分けることで、所望の照度パターンを簡単に得ることができる。また、前述のように第１反射部４１の反射面を、回転楕円曲面と放物面とのいずれかの形状で構成する以外にも、これらを混在配置する構成としてもよい。さらに、第２焦点の位置が相互に異なる回転楕円曲面を複数混在配置させる構成としてもよい。例えば、第２焦点位置が机上面の上方手前側にあるものと、机上面にあるものとを、適宜な比率で混在配置して、机上照明装置全体としての光の拡散度合いを調整することが可能となる。混在配置方法としては、隣接する第１反射部４１の反射面同士を異なる種類に設定したり、列毎に異なる種類に設定したりできる。また、ランダムに配置して構成することもできる。これにより、集光性と光拡散性を適宜組み合わせた所望の照度分布を簡単に形成することができる。【０１００】
本発明を詳細にまた特定の実施態様を参照して説明したが、本発明の精神と範囲を逸脱することなく様々な変更や修正を加えることができることは当業者にとって明らかである。本出願は２００７年６月１２日出願の日本特許出願（特願２００７−１５５４６４）に基づくものであり、その内容はここに参照として取り込まれる。
【図１】
2008153104.tif 000004
【図２】
2008153104.tif 000005
【図３】
2008153104.tif 000006
【図４】
2008153104.tif 000007
【図５】
2008153104.tif 000008
【図６】
2008153104.tif 000009
【図７】
2008153104.tif 000010
【図８】
2008153104.tif 000011
【図９】
2008153104.tif 000012
【図１０】
2008153104.tif 000013
【図１１】
2008153104.tif 000014
【図１２】
2008153104.tif 000015
【図１３】
2008153104.tif 000016
【図１４】
2008153104.tif 000017
【図１５】
2008153104.tif 000018
【図１６】
2008153104.tif 000019
【図１７】
2008153104.tif 000020
【図１８】
2008153104.tif 000021
【図１９】
2008153104.tif 000022
【図２０】
2008153104.tif 000023
【図２１】
2008153104.tif 000024
【図２２】
2008153104.tif 000025
【図２３】
2008153104.tif 000026
【図２４】
2008153104.tif 000027
【図２５】
2008153104.tif 000028
【国際調査報告】
2008153104.tif 000029
2008153104.tif 000030
2008153104.tif 000031
2008153104.tif 000032